(57)【要約】【課題】システムの制御負荷を軽減しつつ、相手のタイムゾーンを考慮することなく電話をかけてしまうことを防止することのできるタイムゾーン通知システムを提供すること。【解決手段】タイムゾーン通知システム１のサーバ２０は、発信者Ｘの携帯電話１０からの発呼要求を受けると着信者Ｙの携帯電話３０の位置情報を取得し、この位置情報を発信者Ｘの携帯電話１０に送信する。発信者Ｘの携帯電話１０は、この位置情報を出力手段に表示するとともに、発信者Ｘによる接続の可否の判断を受け付ける。サーバ２０は、発信者Ｘにより接続すると判断されることを条件に、発信者Ｘの携帯電話１０と着信者Ｙの携帯電話３０とを接続する。【選択図】図１
2010219644.tif 000002
【特許請求の範囲】
【請求項１】
発信者携帯電話、前記発信者携帯電話と接続可能な着信者携帯電話、及び前記発信者携帯電話と接続可能なサーバ、を含むタイムゾーン通知システムであって、
前記サーバは、
発信者携帯電話からの着信者携帯電話への発呼要求を受け付けることを条件に、この着信者携帯電話の位置情報を取得する位置確認手段と、
前記発信者携帯電話に前記着信者携帯電話の前記位置情報を送信する接続確認手段と、
を備え、
前記発信者携帯電話は、
受信した前記位置情報を出力する出力手段と、
発信者からの操作に応じて前記着信者携帯電話と接続するか否かを判断する接続判断手段と、
前記接続判断手段により接続すると判断されることを条件に、接続指示信号を前記サーバに送信する接続送信手段と、
を備え、
前記サーバは、前記接続送信手段からの前記接続指示信号を受信することを条件に、前記発信者携帯電話と前記着信者携帯電話とを接続する呼出手段をさらに備えることを特徴とするタイムゾーン通知システム。
【請求項２】
前記位置情報は、携帯電話の属する地域、携帯電話の属するタイムゾーン、又は携帯電話の属する地域の時刻であることを特徴とする請求項１に記載のタイムゾーン通知システム。
【請求項３】
前記サーバの前記接続確認手段は、前記発信者携帯電話の前記位置情報と前記着信者携帯電話の前記位置情報とを対比する位置情報対比手段を備え、
前記呼出手段は、前記位置情報対比手段により前記発信者携帯電話の前記位置情報と前記着信者携帯電話の前記位置情報とが所定以上に異ならない場合には、前記接続指示信号に関わらず前記発信者携帯電話と前記着信者携帯電話とを接続することを特徴とする請求項１又は２に記載のタイムゾーン通知システム。
【請求項４】
前記位置情報は、携帯電話の属する地域の時刻であり、
前記呼出手段は、前記着信者携帯電話の属する地域の時刻が所定範囲の時刻である場合には、前記接続指示信号に関わらず前記発信者携帯電話と前記着信者携帯電話とを接続することを特徴とする請求項１に記載のタイムゾーン通知システム。
【発明の詳細な説明】
【技術分野】
【０００１】
本発明は、着信者の携帯電話の位置、時刻を含む位置情報を発信者の携帯電話に通知するタイムゾーン通知システムに関する。
【背景技術】
【０００２】
携帯電話の世界的な普及に伴い、日本国内の仕様のみならず海外でも国内同様に使用可能な携帯電話が登場している。このような携帯電話では、着信者が国内にいても海外にいても同一の電話番号を用いて通話することができる。ここで、同一の携帯電話が国際的に使用されると、着信者が国外に居ることを知らずに、相手のタイムゾーンを考慮することなく電話をかけてしまうおそれがある。
【０００３】
そこで、特許文献１には着信者の携帯電話の属するタイムゾーンを通知して、メールや電話等の連絡手段のうち適切な連絡手段で連絡を取るべきか通知するシステムが示されている。
【先行技術文献】
【特許文献】
【０００４】
【特許文献１】特開２００８−４２６２６号公報
【発明の概要】
【発明が解決しようとする課題】
【０００５】
しかしながら、このようなシステムでは電話をかける必要のない相手のタイムゾーンまで取得してしまうため、無駄な処理が生じてしまっていた。また、タイムゾーンが通知されていてもユーザが気づかずに着信者に発呼してしまうことがあり、依然として相手のタイムゾーンを考慮することなく電話をかけてしまうおそれがあった。
【０００６】
そこで、本発明は、システムの制御負荷を軽減しつつ、相手のタイムゾーンを考慮することなく電話をかけてしまうことを防止することのできるタイムゾーン通知システムを提供することを目的とする。
【課題を解決するための手段】
【０００７】
本発明では、以下のような解決手段を提供する。
【０００８】
（１）  発信者携帯電話、前記発信者携帯電話と接続可能な着信者携帯電話、及び前記発信者携帯電話と接続可能なサーバ、を含むタイムゾーン通知システムであって、前記サーバは、発信者携帯電話からの着信者携帯電話への発呼要求を受け付けることを条件に、この着信者携帯電話の位置情報を取得する位置確認手段と、前記発信者携帯電話に前記着信者携帯電話の前記位置情報を送信する接続確認手段と、を備え、前記発信者携帯電話は、受信した前記位置情報を出力する出力手段と、発信者からの操作に応じて前記着信者携帯電話と接続するか否かを判断する接続判断手段と、前記接続判断手段により接続すると判断されることを条件に、接続指示信号を前記サーバに送信する接続送信手段と、を備え、前記サーバは、前記接続送信手段からの前記接続指示信号を受信することを条件に、前記発信者携帯電話と前記着信者携帯電話とを接続する呼出手段をさらに備えることを特徴とするタイムゾーン通知システム。
【０００９】
（１）のタイムゾーン通知システムによれば、サーバは、発信者携帯電話からの発呼要求を受けると着信者携帯電話の位置情報を取得し、この位置情報を発信者携帯電話に送信する。発信者携帯電話は、この位置情報を出力手段に出力するとともに、発信者による接続の可否の判断を受け付ける。サーバは、発信者により接続すると判断されることを条件に、発信者携帯電話と着信者携帯電話とを接続する。このように、着信者携帯電話に接続するためには、発信者は発呼要求に加えて、着信者の位置情報が表示された後の再度の確認を行わなければならない。そのため、着信者の位置情報（例えば、タイムゾーン）を考慮することなく電話をかけてしまうことを確実に防止することができる。
【００１０】
また、この場合において、着信者の位置情報は発呼要求に応じて取得される。そのため、着信者の位置情報をサーバや発信者携帯電話が常時取得する必要がなく、タイムゾーン通知システム全体における制御負荷を軽減することができる。
【００１１】
（２）  前記位置情報は、携帯電話の属する地域、携帯電話の属するタイムゾーン、又は携帯電話の属する地域の時刻であることを特徴とする（１）に記載のタイムゾーン通知システム。
【００１２】
（２）のタイムゾーン通知システムによれば、位置情報として、携帯電話の属する地域、携帯電話の属するタイムゾーン、又は携帯電話の属する地域の時刻を用いることができる。
【００１３】
（３）  前記サーバの前記接続確認手段は、前記発信者携帯電話の前記位置情報と前記着信者携帯電話の前記位置情報とを対比する位置情報対比手段を備え、前記呼出手段は、前記位置情報対比手段により前記発信者携帯電話の前記位置情報と前記着信者携帯電話の前記位置情報とが所定以上に異ならない場合には、前記接続指示信号に関わらず前記発信者携帯電話と前記着信者携帯電話とを接続することを特徴とする（１）又は（２）に記載のタイムゾーン通知システム。
【００１４】
（３）のタイムゾーン通知システムによれば、呼出手段は、発信者携帯電話の位置情報と着信者携帯電話の位置情報とが所定以上に異ならない場合には、発信者携帯電話に接続確認を行うことなく、発信者携帯電話と着信者携帯電話とを接続する。このため、着信者のタイムゾーンを考慮する必要がない場合にまで不要な確認を行わせることがなく、発信者に煩わしさを感じさせない。
【００１５】
（４）  前記位置情報は、携帯電話の属する地域の時刻であり、前記呼出手段は、前記着信者携帯電話の属する地域の時刻が所定範囲の時刻である場合には、前記接続指示信号に関わらず前記発信者携帯電話と前記着信者携帯電話とを接続することを特徴とする（１）に記載のタイムゾーン通知システム。
【００１６】
（４）のタイムゾーン通知システムによれば、着信者の携帯電話の属する地域の時刻を考慮する必要がない場合にまで不要な確認を行わせることがなく、発信者に煩わしさを感じさせない。
【発明の効果】
【００１７】
本発明によれば、システムの制御負荷を軽減しつつ、相手のタイムゾーンを考慮することなく電話をかけてしまうことを防止することのできるタイムゾーン通知システムを提供することができる。
【図面の簡単な説明】
【００１８】
【図１】本実施形態にかかるタイムゾーン通知システムの概略を示す図である。
【図２】本実施形態にかかるタイムゾーン通知システムの機能構成を示す図である。
【図３】ホームメモリ局に記憶されるホームメモリを示す図である。
【図４】タイムゾーンテーブルを示す図である。
【図５】本実施形態にかかるタイムゾーン通知システムの処理を示すフローチャートである。
【図６】本実施形態にかかるサーバのハードウェア構成を示す図である。
【発明を実施するための形態】
【００１９】
以下、本発明の実施形態について図１から図６を参照して説明する。
【００２０】
［タイムゾーン通知システム１の概略］
図１を参照して、タイムゾーン通知システム１の概略について説明する。タイムゾーン通知システム１は、発信者Ｘの携帯電話１０、携帯電話１０と接続可能なサーバ（基地局又は交換機）２０、着信者Ｙの携帯電話３０、及び着信者Ｙの携帯電話３０の現在地等の情報を有するホームメモリ局４０から構成される。
【００２１】
（１）携帯電話１０のユーザ（発信者Ｘ）の操作に基づき着信者Ｙの携帯電話３０への発呼要求がなされると、この発呼要求は携帯電話１０と接続可能なサーバ２０に送信される。
（２）サーバ２０は、発呼要求に含まれる携帯電話３０の識別子に基づいて、携帯電話３０のホームメモリ局４０に携帯電話３０の位置確認要求を行う。
（３）サーバ２０から位置確認要求を受けるとホームメモリ局４０は、携帯電話３０の位置情報をサーバ２０に返信する。
（４）サーバ２０ではこの位置情報を発信者Ｘの携帯電話１０に返信する。
（５）着信者Ｙの携帯電話３０の位置情報を取得した携帯電話１０は、その表示部に着信者の位置、着信者との時差情報等を表示し、発信者Ｘからの接続指示を受け付ける。
（６）このとき、表示された時差情報に関わらず発信者Ｘが接続を指示した場合には、サーバ２０は着信者Ｙの携帯電話３０に対し呼び出しをかける。すなわち、発信者Ｘの携帯電話１０と着信者Ｙの携帯電話３０とを実際に接続する。他方、接続を指示しない場合には、サーバ２０は発信者Ｘの携帯電話１０と着信者Ｙの携帯電話３０とを接続せずに処理を終了する。
【００２２】
このように、タイムゾーン通知システム１によれば、発信者Ｘが発呼要求を行ったとしても、発信者Ｘによる再度の接続指示が行われない限り着信者Ｙの携帯電話３０に実際に呼び出しがかかることがない。そのため、相手のタイムゾーンを考慮することなく電話をかけてしまうことを防止することができる。また、着信者Ｙの携帯電話３０の位置情報は、発信者Ｘによる発呼要求が行われない限り取得されない。そのため、発信者Ｘの携帯電話１０及びサーバ２０は、着信者Ｙの携帯電話３０の位置情報を常に取得する必要がなく、タイムゾーン通知システム１全体における制御負荷を軽減することができる。
【００２３】
［タイムゾーン通知システム１の機能構成］
次に、上記（１）〜（６）のような制御を行うための具体的構成について、図２を参照して説明する。
【００２４】
タイムゾーン通知システム１は、発信者Ｘの携帯電話１０、携帯電話１０と接続可能なサーバ（基地局又は交換機）２０、着信者Ｙの携帯電話３０、及び着信者Ｙの携帯電話３０の現在地等の情報を有するホームメモリ局４０から構成される。
【００２５】
携帯電話１０は、発呼手段１１、接続判断手段１２、及び接続送信手段１３から構成される。なお、図示は省略するが、携帯電話１０には、種々の情報を出力する出力手段（例えば、液晶ディスプレイ）や発信者Ｘからの操作を受け付ける操作手段も設けられている。
【００２６】
発呼手段１１は、発信者Ｘからの操作に応じて着信者Ｙの携帯電話３０に対する発呼を要求するメッセージをサーバ２０に送信する。接続判断手段１２は、発信者Ｘからの操作に応じて着信者Ｙの携帯電話３０と接続するか否かを判断する。例えば、出力手段に表示された情報「発呼を接続しますか？」に対し、「ＹＥＳ」と操作された場合に接続すると判断し、「ＮＯ」と操作された場合に接続しないと判断する。接続送信手段１３は、接続判断手段１２により接続すると判断されることを条件に、接続指示信号をサーバ２０に送信する。
【００２７】
サーバ２０は、位置確認手段２１、接続確認手段２２、呼出手段２３、時刻判別手段２４、及びタイムゾーンテーブル２５から構成される。
【００２８】
位置確認手段２１は、携帯電話１０からの発呼要求に応じて、発呼先の携帯電話３０を特定し、ホームメモリ局４０に携帯電話３０の現在地を確認する。すなわち、位置確認手段２１は、ホームメモリ局４０に携帯電話３０の現在地を要求し、ホームメモリ局４０から携帯電話３０の現在地を取得する。
【００２９】
ここで、ホームメモリ局４０のホームメモリには、図３に示すように着信者Ｙの携帯電話３０の現在地を含む個人情報が記憶されている。このように、それぞれの携帯電話の現在地は、予め定められた１のホームメモリ局（交換機）に記憶されているため、位置確認手段２１は、携帯電話３０の識別情報に基づいて該当するホームメモリ局４０にアクセスすることで、携帯電話３０の現在地を取得することができる。
【００３０】
接続確認手段２２は、ホームメモリ局４０から取得した携帯電話３０の位置情報を、発呼要求を行った携帯電話１０に送信し、接続確認を行う。なお、「位置情報」については、後述する。
【００３１】
呼出手段２３は、携帯電話１０の接続送信手段１３からの接続指示信号を受信することを条件に、携帯電話１０と携帯電話３０とを接続する。すなわち、携帯電話３０と接続可能な基地局にアクセスし、携帯電話３０を呼び出す。
【００３２】
ここで、「位置情報」とは携帯電話３０の現在地のほか、携帯電話３０の属するタイムゾーンや、携帯電話３０の現在地の時刻、携帯電話１０と携帯電話３０との時差を含む概念である。このようなタイムゾーン、時刻、時差を取得するため、サーバ２０に時刻判別手段２４及びタイムゾーンテーブル２５が設けられている。なお、「タイムゾーン」とは、共通の協定世界時（ＵＴＣ：Ｕｎｉｖｅｒｓａｌ  Ｔｉｍｅ，  Ｃｏｏｒｄｉｎａｔｅｄ）を使う地域をいう。
【００３３】
時刻判別手段２４は、タイムゾーンテーブル２５を参照して、ホームメモリ局４０から取得した携帯電話３０の現在地に基づいて携帯電話３０の属するタイムゾーンや時刻を取得する。なお、時刻判別手段２４は、取得したタイムゾーンや時刻から、発信者Ｘの携帯電話１０と着信者Ｙの携帯電話３０との時差を取得することとしてもよい。
【００３４】
タイムゾーンテーブル２５は、着信者Ｙの携帯電話３０の現在地からタイムゾーンを判別するためのタイムゾーンテーブル（図４（１））、及び判別したタイムゾーンから現在の時刻を判別する時刻判別テーブル（図４（２））により構成される。なお、時刻判別テーブルについては対応関係を明確にするためテーブル形式で記載しているが、携帯電話３０の現在地における時刻は、時刻判別手段２４が演算することで判別したタイムゾーンから取得することとしてもよい。
【００３５】
このように、時刻判別手段２４及びタイムゾーンテーブル２５により、携帯電話３０の現在地からその時刻を取得することで、図１に示すように発信者Ｘの携帯電話１０の出力手段に着信者Ｙの現在地及びその時刻を表示することができる。その結果、発信者Ｘは着信者Ｙの状況を適確に把握でき、着信者Ｙの状況を考慮して接続確認を行うことができる。なお、発信者Ｘの携帯電話１０と着信者Ｙの携帯電話３０との時差を取得した場合には、発信者Ｘの携帯電話１０の出力手段に時差も併せて又は単独で表示することとしてもよい。
【００３６】
ここで、サーバ２０の接続確認手段２２に、携帯電話１０の位置情報と携帯電話３０の位置情報とを対比する位置情報対比手段２２１を設けることとしてもよい。この場合において、携帯電話１０の位置情報は、携帯電話１０のホームメモリ局にアクセスし取得することとしてもよく、サーバ２０の属する位置を携帯電話１０の現在地とみなし取得することとしてもよい。
【００３７】
そして、接続確認手段２２は、位置情報対比手段２２１により携帯電話１０の位置情報と携帯電話３０の位置情報とが予め定められた以上に異なった場合にのみ、携帯電話１０に接続確認を行い（位置情報を送信）、予め定められた以上に異ならない場合には、接続確認を行わない（位置情報を送信しない）こととしてもよい。すなわち、発信者Ｘの携帯電話１０の位置情報と着信者Ｙの携帯電話３０の位置情報とが予め定められた以上に異ならない場合には、呼出手段２３は、接続指示信号に関わらず発信者Ｘの携帯電話１０と着信者Ｙの携帯電話３０とを接続することとしてもよい。
【００３８】
例えば、「位置情報」が地域である場合には、携帯電話１０が属する地域と携帯電話３０が属する地域とが異なるか判断し、接続確認を行うか判断することができる。また、「位置情報」がタイムゾーンである場合には、携帯電話１０が属するタイムゾーンと携帯電話３０が属するタイムゾーンとが異なるか判断し、接続確認を行うか判断することができる。また、「位置情報」が時差である場合には、携帯電話１０と携帯電話３０との時差（３時間以上の時差）から、接続確認を行うか判断することができる。また、「位置情報」が時刻である場合には、着信者Ｙの携帯電話３０の時刻のみ（真夜中か）から、接続確認を行うか判断することができる。
【００３９】
なお、接続確認を行うか否かの基準は、管理者が任意に設定することができる。例えば、３時間以上時差がある場合に接続確認を行うこととしてもよく、５時間以上時差がある場合に接続確認を行うこととしてもよい。
【００４０】
［タイムゾーン通知システム１の処理］
次に、図５を参照して、タイムゾーン通知システム１における具体的な処理について説明する。
【００４１】
Ｓ１００：発信者Ｘが着信者Ｙへ電話をかける操作を行うと、携帯電話１０の発呼手段１１は接続可能な基地局（サーバ２０）に発呼を要求するメッセージを送信する。
Ｓ１０５：このメッセージを受信すると、サーバ２０の位置確認手段２１は、着信者Ｙの携帯電話３０の個人情報を有するホームメモリ局４０にアクセスし、ホームメモリ局４０に携帯電話３０の現在地を要求する。
Ｓ１１０、Ｓ１１５：ホームメモリ局４０は、ホームメモリを参照して確認要求された携帯電話３０の現在地を取得し、この現在地をサーバ２０に送信する。
【００４２】
Ｓ１２０：サーバ２０の時刻判別手段２４は、タイムゾーンテーブル２５を参照して、受信した現在地から携帯電話３０の属するタイムゾーンや時刻、又は時差、すなわち、携帯電話３０の位置情報を判別する。
Ｓ１２５：サーバ２０の位置情報対比手段２２１は、判別した携帯電話３０の位置情報と、携帯電話１０の位置情報とを対比し、接続確認が必要であるか否かを判別する。
Ｓ１３０：このとき、予め定めた以上に異なる場合には、サーバ２０の接続確認手段２２は、携帯電話１０に携帯電話３０の位置情報を送信し、接続確認を行う。
【００４３】
Ｓ１３５、Ｓ１４０：接続確認を受けると、携帯電話１０は着信者Ｙの携帯電話３０の位置情報を出力手段に表示し、発信者Ｘからの接続指示を受け付ける。
Ｓ１４５：このとき、発信者Ｘが接続を選択した場合には、携帯電話１０の接続送信手段１３は、接続指示信号をサーバ２０に送信する。他方、発信者Ｘが接続しないことを選択した場合には、処理を終了する。
【００４４】
Ｓ１５０：携帯電話１０からの接続指示信号を受信した場合、又は、Ｓ１２５において接続確認が必要ないと判別された場合には、サーバ２０の呼出手段２３は、発信者Ｘの携帯電話１０と着信者Ｙの携帯電話３０とを接続する。
Ｓ１６０：この接続により、携帯電話３０から着信音が出音され、着信者Ｙへの呼び出しが行われる。
【００４５】
このように、タイムゾーン通知システム１によれば、発信者Ｘが発呼要求を行ったとしても、発信者Ｘによる再度の接続指示が行われない限り着信者Ｙの携帯電話３０と接続されない。そのため、相手のタイムゾーンを考慮することなく電話をかけてしまうことを防止することができる。また、着信者Ｙの携帯電話３０の位置情報は、発信者Ｘによる発呼要求が行われない限り取得されない。そのため、発信者Ｘの携帯電話１０及びサーバ２０は、着信者Ｙの携帯電話３０の位置情報を常に取得する必要がなく、タイムゾーン通知システム１全体における制御負荷を軽減することができる。
【００４６】
また、発信者Ｘの携帯電話１０の位置情報と着信者Ｙの携帯電話３０の位置情報とが予め定められた以上に異ならない場合には、発信者Ｘの確認を受けることなく発信者Ｘの携帯電話１０と着信者Ｙの携帯電話３０とが接続される。そのため、着信者Ｙの携帯電話３０の位置情報を考慮する必要がない場合にまで不要な確認を行わせることがなく、発信者Ｘに煩わしさを感じさせない。
【００４７】
［サーバ２０のハードウェア構成］
図６は、本発明の実施形態に係るタイムゾーン通知システムを構成するサーバ２０のハードウェア構成を示す図である。本発明が実施される装置は標準的なものでよく、以下に構成の一例を示す。なお、携帯電話１０，３０、及びホームメモリ局４０のハードウェア構成については省略するが、基本的にはサーバ２０のハードウェア構成と同一である。
【００４８】
サーバ２０は、制御部１３００を構成するＣＰＵ（Ｃｅｎｔｒａｌ  Ｐｒｏｃｅｓｓｉｎｇ  Ｕｎｉｔ）１３１０（マルチプロセッサ構成ではＣＰＵ１３２０等複数のＣＰＵが追加されてもよい）、バスライン１２００、通信Ｉ／Ｆ（Ｉ／Ｆ：インターフェイス）１３３０、メインメモリ１３４０、ＢＩＯＳ（Ｂａｓｉｃ  Ｉｎｐｕｔ  Ｏｕｔｐｕｔ  Ｓｙｓｔｅｍ）１３５０、表示装置１３６０、Ｉ／Ｏコントローラ１３７０、キーボード及びマウス等の入力装置１３８０、ハードディスク１３９０、光ディスクドライブ１４００、並びに半導体メモリ１４２０を備える。なお、ハードディスク１３９０、光ディスクドライブ１４００、並びに半導体メモリ１４２０はまとめて記憶装置１４３０と呼ぶ。
【００４９】
制御部１３００は、サーバ２０を統括的に制御する部分であり、ハードディスク１３９０（後述）に記憶された各種プログラムを適宜読み出して実行することにより、上述したハードウェアと協働し、本発明に係る各種機能を実現している。
【００５０】
通信Ｉ／Ｆ１３３０は、サーバ２０が、ネットワークを介して携帯電話１０等と情報を送受信する場合のネットワーク・アダプタである。通信Ｉ／Ｆ１３３０は、モデム、ケーブル・モデム及びイーサネット（登録商標）・アダプタを含んでよい。
【００５１】
ＢＩＯＳ１３５０は、サーバ２０の起動時にＣＰＵ１３１０が実行するブートプログラムや、サーバ２０のハードウェアに依存するプログラム等を記録する。
【００５２】
表示装置１３６０は、ブラウン管表示装置（ＣＲＴ）、液晶表示装置（ＬＣＤ）等のディスプレイ装置を含む。
【００５３】
Ｉ／Ｏコントローラ１３７０には、ハードディスク１３９０、光ディスクドライブ１４００、及び半導体メモリ１４２０等の記憶装置１４３０を接続することができる。
【００５４】
入力装置１３８０は、サーバ２０のユーザによる入力の受け付けを行うものである。
【００５５】
ハードディスク１３９０は、本ハードウェアをサーバ２０として機能させるための各種プログラム、本発明の機能を実行するプログラム及び前述したテーブル及びレコードを記憶する。なお、サーバ２０は、外部に別途設けたハードディスク（図示せず）を外部記憶装置として利用することもできる。
【００５６】
光ディスクドライブ１４００としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク１４１０を使用する。光ディスク１４１０から光ディスクドライブ１４００によりプログラム又はデータを読み取り、Ｉ／Ｏコントローラ１３７０を介してメインメモリ１３４０又はハードディスク１３９０に提供することもできる。
【００５７】
なお、本発明でいうコンピュータとは、記憶装置、制御部等を備えたサーバ２０をいい、サーバ２０は、記憶装置１４３０、制御部１３００等を備えたサーバ２０により構成され、このサーバ２０は、本発明のコンピュータの概念に含まれる。
【００５８】
サーバ２０の各手段は、制御部１３００によってプログラムが実行されることで実現される。但し、タイムゾーンテーブル２５は、主としてハードディスク１３９０に実装されるが、既に述べたように、他の記憶装置を用いてもよい。
【００５９】
以上、本発明の実施形態について説明したが、本発明は本実施形態に限定されるものではなく、本発明の目的を達成できる範囲での変形、改良等は本発明に含まれるものである。
【００６０】
例えば、本発明の実施形態では、着信者Ｙの位置情報が液晶ディスプレイに表示されるものを例にとって説明した。すなわち、出力手段として表示手段である液晶ディスプレイを例にとって説明した。しかしながら、出力手段は液晶ディスプレイのような表示手段に限らず、音声により着信者Ｙの位置情報を発信者Ｘに知らせる音声出力手段（例えば、携帯電話のスピーカ）であってもよい。すなわち、発信者Ｘが発呼要求を行うと、発信者Ｘは携帯電話を耳にあて待機するところ、表示手段に表示するよりも、音声出力手段から音声により出力したほうが好適な場合があるためである。その後、例えば、「接続する場合には「１」、接続しない場合には「２」を押してください」といった音声を出力することで、発信者Ｘは容易に接続指示を行うことができる。
【００６１】
なお、発信者Ｘの接続指示についても、様々な方法が考えられる。例えば、音声により接続するか否かを指示できることとしてもよく、また、携帯電話の動作を感知するモーションコントロールセンサーを有する場合には、携帯電話の動作により接続するか否かを指示できることとしてもよい。また、タッチパネルを有する携帯電話である場合には、タッチパネルに対する接触により接続するか否かを指示できることとしてもよい。
【符号の説明】
【００６２】
１  タイムゾーン通知システム
１０  携帯電話
１１  発呼手段
１２  接続判断手段
１３  接続送信手段
２０  サーバ
２１  位置確認手段
２２  接続確認手段
２２１  位置情報対比手段
２３  呼出手段
２４  時刻判別手段
２５  タイムゾーンテーブル
３０  ホームメモリ局
４０  携帯電話
【図１】
2010219644.tif 000003
【図２】
2010219644.tif 000004
【図３】
2010219644.tif 000005
【図４】
2010219644.tif 000006
【図５】
2010219644.tif 000007
【図６】
2010219644.tif 000008